(57)【要約】  【課題】冷蔵室のドア開閉が増加する夏場においても、製氷室の能力を確保でき、さらに野菜室を高湿度に保ち、野菜室に貯蔵する食品の保鮮性を向上する冷蔵庫を提供する。  【解決手段】第１の冷却器８で冷蔵スライド室３及び冷蔵室２を冷却し、第２の冷却器１６で冷蔵室以外の製氷室４及び冷凍スライド室６及び野菜室７及び冷凍室５を冷却するようにし、野菜室７に直接冷気をダンパー２１を介して循環させることにより、夏場、冷蔵スライド室３及び冷蔵室２のドア開閉が増え、冷蔵スライド室３及び冷蔵室２に暖湿気が流入しても製氷室４を冷却する第２の冷却器１６は影響を受けず製氷室４の能力を確保することができ、さらに野菜室内に直接冷気を循環させることにより野菜室の安定した冷却と野菜室内の結露量を少なくすることができる。【選択図】図２
2006250467.tif 000002
【特許請求の範囲】
【請求項１】
冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの吐出風路から導かれた冷気の吐出風路口に冷気の吐出量を制御するダンパーを備えたことを特徴とする冷蔵庫。
【請求項２】
冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記製氷室からの戻り風路から導かれた冷気の吐出風路口に冷気の吐出量を制御するダンパーを備えたことを特徴とする冷蔵庫。
【請求項３】
冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記冷凍室からの戻り風路から導かれた冷気の吐出風路口に冷気の吐出量を制御するダンパーを備えたことを特徴とする冷蔵庫。
【請求項４】
冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記冷凍スライド室の戻り風路から導かれた冷気の吐出風路口に冷気の吐出量を制御するダンパーを備えたことを特徴とする冷蔵庫。
【請求項５】
野菜室背面に前記第２の冷却器から延長される冷却プレートを設置することを特徴とする請求項１から４のいずれか一項に記載の冷蔵庫。
【請求項６】
冷却プレートの材質を高伝導素材としたことを特徴とする請求項５に記載の冷蔵庫。
【発明の詳細な説明】
【技術分野】
【０００１】
本発明は、使い勝手を高めた冷蔵庫に関するものである。
【背景技術】
【０００２】
近年、様々なレイアウトの冷蔵庫が発売されている（例えば、特許文献１参照）。
【０００３】
図７は、特許文献１に記載された従来の冷蔵庫を示すものである。図７に示すように冷蔵庫本体１と、この本体の上部に設けられた冷蔵室７と、冷蔵室の下に設けられた切替室３０と、冷蔵室の下で切替室に並列に設けられた製氷室４と、本体下部に設けられた冷凍室９と、並列に設置された切替室及び製氷室と冷凍室の間に設けられた野菜室８と、冷気を生成する冷却器３１と、冷気を各室に供給するファン装置３２とを有し、冷凍室に冷気を供給するための冷凍室用送風路３３と、製氷室に冷気を供給するための製氷用送風路３４と、製氷室から冷気を冷却器に戻す製氷室用帰還風路３５と、製氷室用送風路を通る冷気の一部を分流させて、切替室に送る切替室用送風路３６と、切替室から冷気を冷却器に戻すための切替室用帰還風路３７と、切替室用送風路を通る冷気の一部を分流させて、冷蔵室に送る冷蔵室用送風路３８と、冷蔵室に送られた冷気を野菜室に戻すための冷蔵室用帰還風路３９と、野菜室に送ら冷気を冷却器に戻すための野菜室用帰還風路４０から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトとを備え、前記野菜室を第２の冷却器からの冷気でダンパーを介して冷却するものである。
【０００７】
これによって、貯蔵食品に適した使い勝手の向上が図れるとともに、野菜室に直接冷気をダンパーを介して循環させることにより、他室の温度上昇の影響を受けることなく安定した冷却を確保することができる。
【発明の効果】
【０００８】
本発明の冷蔵庫は、貯蔵食品に適した使い勝手の向上が図れるとともに、野菜室の冷却性能を効率よく高めることができる。
【発明を実施するための最良の形態】
【０００９】
請求項１に記載の発明は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの吐出風路から導かれた冷気の吐出風路口に冷気の吐出量を制御するダンパーを備えたものであり、貯蔵食品に適した使い勝手の向上が図れるとともに、野菜室に直接冷気を循環させることにより、他室の温度上昇の影響を受けることなく安定した冷却を確保することができる。さらに冷却器からの低温の冷気を導入することにより、少ない循環量で野菜室を冷却することができ、野菜室の冷却能力を高めることができる。
【００１０】
請求項２に記載の発明は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記製氷室からの戻り風路から導かれた冷気の吐出風路口に冷気の吐出量を制御するダンパーを備えたものであり、貯蔵食品に適した使い勝手の向上が図れるとともに、野菜室に直接冷気を循環させることにより、他室の温度上昇の影響を受けることなく安定した冷却を確保することができる。さらに、製氷室からの比較的湿度の高い戻り冷気を導入することができ野菜室の保鮮性を確保することができる。さらに野菜室内の冷気循環量を増加させることにより、野菜室内の結露量を減少させることができ、安定した品質が確保できる。
【００１１】
請求項３に記載の発明は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記冷凍室からの戻り風路から導かれた冷気の吐出風路口に冷気の吐出量を制御するダンパーを備えたものであり、貯蔵食品に適した使い勝手の向上が図れるとともに、野菜室に直接冷気を循環させることにより、他室の温度上昇の影響を受けることなく安定した冷却を確保することができる。さらに、大量の乾いた冷気を循環させることができるため、野菜室の結露量は最小限にすることができる。
【００１２】
請求項４に記載の発明は、冷蔵庫本体と、この本体の上下方向の全高で左右に分断された左区画の上部に冷蔵食品等を貯蔵する扉が引出し扉で構成された冷蔵スライド室と、前記冷蔵庫本体の左区画の下部に設けられた扉が引出し扉で構成された冷凍スライド室と、前記冷蔵スライド室と前記冷凍スライド室の間に設けられた扉が引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記冷蔵室背面に設置した第１の冷却器と、前記第１の冷却器によって冷却された冷気を前記冷蔵スライド室及び前記冷蔵室に導くための吐出風路及び冷蔵スライド室及び冷蔵室を冷却した冷気を第１の冷却器に戻すための戻り風路を設けた冷蔵室用ダクトと、前記冷凍室および前記冷凍スライド室および前記野菜室の奥に設置した第２の冷却器と、前記第２の冷却器によって冷却された冷気を前記製氷室及び前記冷凍スライド室及び前記冷凍室および前記野菜室へ導く吐出風路及び前記製氷室及び前記冷凍スライド室及び前記冷凍室を冷却した冷気を第２の冷却器に戻すための戻り風路を設けた冷凍室用ダクトと、前記野菜室における前記冷凍室用ダクトの前記冷凍スライド室の戻り風路から導かれた冷気の吐出風路口に冷気の吐出量を制御するダンパーを備えたものであり、貯蔵食品に適した使い勝手の向上が図れるとともに、野菜室に直接冷気を循環させることにより、他室の温度上昇の影響を受けることなく安定した冷却を確保することができる。さらに大量の乾いた冷気を循環させることができるため、野菜室の結露量は最小限にすることができる。また、野菜室の同じ高さの位置に冷凍スライド室があるため、冷凍室用のダクト構成をシンプルにすることができる。
【００１３】
請求項５に記載の発明は、請求項１から４のいずれか一項に記載の発明において、野菜室背面に前記第２の冷却器から延長される冷却プレートを設置するものであり、野菜室背面の冷却プレートから効率よく野菜室内の冷却が可能となり、野菜室内への冷気の導入を最小限にすることができ保鮮性の確保と野菜室庫内の結露の低減を両立することができる。
【００１４】
請求項６に記載の発明は、請求項５に記載の発明において、冷却プレートの材質を高伝導素材としたものであり、さらに野菜室の冷却能力を効率よく高めることができる。
【００１５】
以下、本発明の実施の形態について、図面を参照しながら説明する。なお、この実施の形態によってこの発明が限定されるものではない。
【００１６】
（実施の形態１）
図１は本発明の実施の形態１による冷蔵庫の正面図である。図２は本発明の実施の形態１による冷蔵庫の風路を示す正面図である。
【００１７】
図１に示すように、冷蔵庫本体１は、上下方向の全高で左右に分断された左区画と、右区画に区画されている。左区画は中央付近に製氷室４が配置され、製氷室４の上方には引出し扉で構成された冷蔵スライド室３を、製氷室４の下方には引出し扉で構成された冷凍スライド室６が配置されている。
【００１８】
一方、右区画には、上から冷蔵室２、野菜室７、冷凍室５が配置されていて、それぞれの部屋の前面開口は扉により塞がれている。なお、冷蔵スライド室６と冷蔵室２は上下方向の同一線上で区画されているが、冷蔵スライド室３の高さと、冷蔵室２の高さが違う、すなわち段差がつくよう構成されていても構わない。
【００１９】
図２において、１３は第１の仕切り壁であり、冷蔵スライド室３及び冷蔵室２と製氷室４及び野菜室８を仕切っている。１４は第２の仕切り壁であり、製氷室４と冷凍スライド室６を仕切っている。１５は第３の仕切り壁であり、野菜室７と冷凍室５を仕切っている。８は第１の冷却器であり冷蔵室背面に設置される。９は冷蔵室用ダクトであり、第１の冷却器８によって冷却された冷気を冷蔵室２及び冷蔵スライド室３に導くための冷蔵室用吐出風路１０と冷蔵スライド室３及び冷蔵室２を冷却した冷気を第１の冷却器８に戻すための冷蔵室用戻り風路１１を有しており、第１の冷却器８の前に設置される。１２は冷蔵室用冷却ファンであり第１の冷却器８で発生した冷気を循環させる。１６は第２の冷却器であり、冷凍室５及び冷凍スライド室６及び野菜室７の奥に設置される。１７は冷凍室用ダクトであり、第２の冷却器１６で冷却された冷気を製氷室４及び冷凍スライド室６及び冷凍室５及び野菜室７へ導く冷凍室用吐出風路１８と製氷室４及び冷凍スライド室６及び冷凍室５及び野菜室７を冷却した冷気を第２の冷却器１６に戻すための冷凍室用戻り風路１９を有しており、第２の冷却器１６の前に設置される。２０は冷凍室用冷却ファンであり、第２の冷却器１６で発生した冷気を循環させる。２１は冷気の吐出量を制御するダンパーであり、野菜室の吐出風路口に設置される。
【００２０】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器１６によって冷却される冷気を直接循環させることによって製氷室４及び冷凍スライド室６及び冷凍室５及び野菜室７を冷却し、第１の冷却器８によって冷気を直接循環させることにより冷蔵スライド室３及び冷蔵室２を冷却するようにしたことにより、夏場、冷蔵スライド室３及び冷蔵室２のドア開閉が増え、冷蔵スライド室３及び冷蔵室２に暖湿気が流入しても製氷室４を冷却する第２の冷却器２０は影響を受けず製氷室４の能力を確保することができる。さらに野菜室７に直接冷気を循環させることにより、他室の温度上昇の影響を受けることなく安定した冷却を確保することができる。さらに第２の冷却器１６からの低温の冷気を導入することにより、少ない循環量で野菜室７を冷却することができるため野菜室の保鮮性を上げることができる。
【００２１】
（実施の形態２）
図１は本発明の実施の形態２による冷蔵庫の正面図である。図３は本発明の実施の形態２による冷蔵庫の風路を示す正面図である。図１の説明は実施の形態１と同様であるため省略する。
【００２２】
図３において、１３は第１の仕切り壁であり、冷蔵スライド室３及び冷蔵室２と製氷室４及び野菜室８を仕切っている。１４は第２の仕切り壁であり、製氷室４と冷凍スライド室６を仕切っている。１５は第３の仕切り壁であり、野菜室７と冷凍室５を仕切っている。８は第１の冷却器であり冷蔵室背面に設置される。９は冷蔵室用ダクトであり、第１の冷却器８によって冷却された冷気を冷蔵室２及び冷蔵スライド室３に導くための冷蔵室用吐出風路１０と冷蔵スライド室３及び冷蔵室２を冷却した冷気を第１の冷却器８に戻すための冷蔵室用戻り風路１１を有しており、第１の冷却器８の前に設置される。１２は冷蔵室用冷却ファンであり第１の冷却器８で発生した冷気を循環させる。１６は第２の冷却器であり、冷凍室５及び冷凍スライド室６及び野菜室７の奥に設置される。１７は冷凍室用ダクトであり、第２の冷却器１６で冷却された冷気を製氷室４及び冷凍スライド室６及び冷凍室５及び野菜室７へ導く冷凍室用吐出風路１８と製氷室４及び冷凍スライド室６及び冷凍室５及び野菜室７を冷却した冷気を第２の冷却器１６に戻すための冷凍室用戻り風路１９を有しており、第２の冷却器１６の前に設置される。２０は冷凍室用冷却ファンであり、第２の冷却器１６で発生した冷気を循環させる。２１は冷気の吐出量を制御するダンパーであり、野菜室の吐出風路口に設置される。
【００２３】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器１６によって冷却される冷気を直接循環させることによって製氷室４及び冷凍スライド室６及び冷凍室５及び野菜室７を冷却し、第１の冷却器８によって冷気を直接循環させることにより冷蔵スライド室３及び冷蔵室２を冷却するようにしたことにより、夏場、冷蔵スライド室３及び冷蔵室２のドア開閉が増え、冷蔵スライド室３及び冷蔵室２に暖湿気が流入しても製氷室４を冷却する第２の冷却器２０は影響を受けず製氷室４の能力を確保することができる。さらに野菜室７に直接冷気を循環させることにより、他室の温度上昇の影響を受けることなく安定した冷却を確保することができる。さらに製氷室からの比較的湿度の高い戻り冷気を導入することができ野菜室の保鮮性を確保することができる。さらに野菜室内の冷気循環量を増加させることにより、野菜室内の結露量を減少させることができ、安定した品質が確保できる。
【００２４】
（実施の形態３）
図１は本発明の実施の形態３による冷蔵庫の正面図である。図４は本発明の実施の形態３による冷蔵庫の風路を示す正面図である。図１の説明は実施の形態１と同様であるため省略する。
【００２５】
図４において、１３は第１の仕切り壁であり、冷蔵スライド室３及び冷蔵室２と製氷室４及び野菜室８を仕切っている。１４は第２の仕切り壁であり、製氷室４と冷凍スライド室６を仕切っている。１５は第３の仕切り壁であり、野菜室７と冷凍室５を仕切っている。８は第１の冷却器であり冷蔵室背面に設置される。９は冷蔵室用ダクトであり、第１の冷却器８によって冷却された冷気を冷蔵室２及び冷蔵スライド室３に導くための冷蔵室用吐出風路１０と冷蔵スライド室３及び冷蔵室２を冷却した冷気を第１の冷却器８に戻すための冷蔵室用戻り風路１１を有しており、第１の冷却器８の前に設置される。１２は冷蔵室用冷却ファンであり第１の冷却器８で発生した冷気を循環させる。１６は第２の冷却器であり、冷凍室５及び冷凍スライド室６及び野菜室７の奥に設置される。１７は冷凍室用ダクトであり、第２の冷却器１６で冷却された冷気を製氷室４及び冷凍スライド室６及び冷凍室５及び野菜室７へ導く冷凍室用吐出風路１８と製氷室４及び冷凍スライド室６及び冷凍室５及び野菜室７を冷却した冷気を第２の冷却器１６に戻すための冷凍室用戻り風路１９を有しており、第２の冷却器１６の前に設置される。２０は冷凍室用冷却ファンであり、第２の冷却器１６で発生した冷気を循環させる。２１は冷気の吐出量を制御するダンパーであり、野菜室の吐出風路口に設置される。
【００２６】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器１６によって冷却される冷気を直接循環させることによって製氷室４及び冷凍スライド室６及び冷凍室５及び野菜室７を冷却し、第１の冷却器８によって冷気を直接循環させることにより冷蔵スライド室３及び冷蔵室２を冷却するようにしたことにより、夏場、冷蔵スライド室３及び冷蔵室２のドア開閉が増え、冷蔵スライド室３及び冷蔵室２に暖湿気が流入しても製氷室４を冷却する第２の冷却器２０は影響を受けず製氷室４の能力を確保することができる。さらに野菜室７に直接冷気を循環させることにより、他室の温度上昇の影響を受けることなく安定した冷却を確保することができる。さらに製氷室からの比較的湿度の高い戻り冷気を導入することができ野菜室の保鮮性を確保することができる。さらに大量の乾いた冷気を循環させることができるため、野菜室の結露量は最小限にすることができる。
【００２７】
（実施の形態４）
図１は本発明の実施の形態４による冷蔵庫の正面図である。図５は本発明の実施の形態４による冷蔵庫の風路を示す正面図である。図１の説明は実施の形態１と同様であるため省略する。
【００２８】
図５において、１３は第１の仕切り壁であり、冷蔵スライド室３及び冷蔵室２と製氷室４及び野菜室８を仕切っている。１４は第２の仕切り壁であり、製氷室４と冷凍スライド室６を仕切っている。１５は第３の仕切り壁であり、野菜室７と冷凍室５を仕切っている。８は第１の冷却器であり冷蔵室背面に設置される。９は冷蔵室用ダクトであり、第１の冷却器８によって冷却された冷気を冷蔵室２及び冷蔵スライド室３に導くための冷蔵室用吐出風路１０と冷蔵スライド室３及び冷蔵室２を冷却した冷気を第１の冷却器８に戻すための冷蔵室用戻り風路１１を有しており、第１の冷却器８の前に設置される。１２は冷蔵室用冷却ファンであり第１の冷却器８で発生した冷気を循環させる。１６は第２の冷却器であり、冷凍室５及び冷凍スライド室６及び野菜室７の奥に設置される。１７は冷凍室用ダクトであり、第２の冷却器１６で冷却された冷気を製氷室４及び冷凍スライド室６及び冷凍室５及び野菜室７へ導く冷凍室用吐出風路１８と製氷室４及び冷凍スライド室６及び冷凍室５及び野菜室７を冷却した冷気を第２の冷却器１６に戻すための冷凍室用戻り風路１９を有しており、第２の冷却器１６の前に設置される。２０は冷凍室用冷却ファンであり、第２の冷却器１６で発生した冷気を循環させる。２１は冷気の吐出量を制御するダンパーであり、野菜室の吐出風路口に設置される。
【００２９】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器１６によって冷却される冷気を直接循環させることによって製氷室４及び冷凍スライド室６及び冷凍室５及び野菜室７を冷却し、第１の冷却器８によって冷気を直接循環させることにより冷蔵スライド室３及び冷蔵室２を冷却するようにしたことにより、夏場、冷蔵スライド室３及び冷蔵室２のドア開閉が増え、冷蔵スライド室３及び冷蔵室２に暖湿気が流入しても製氷室４を冷却する第２の冷却器２０は影響を受けず製氷室４の能力を確保することができる。さらに野菜室７に直接冷気を循環させることにより、他室の温度上昇の影響を受けることなく安定した冷却を確保することができる。さらに製氷室からの比較的湿度の高い戻り冷気を導入することができ野菜室の保鮮性を確保することができる。さらに大量の乾いた冷気を循環させることができるため、野菜室の結露量は最小限にすることができる。また、野菜室の同じ高さの位置に冷凍スライド室があるため、冷凍室用のダクト構成をシンプルにすることができる。
【００３０】
（実施の形態５）
図６は本発明の実施の形態５による冷蔵庫の断面図である。図６において、１３は第１の仕切り壁であり、冷蔵スライド室３及び冷蔵室２と製氷室４及び野菜室８を仕切っている。１４は第２の仕切り壁であり、製氷室４と冷凍スライド室６を仕切っている。１５は第３の仕切り壁であり、野菜室７と冷凍室５を仕切っている。８は第１の冷却器であり冷蔵室背面に設置される。９は冷蔵室用ダクトであり、第１の冷却器８によって冷却された冷気を冷蔵室２及び冷蔵スライド室３に導くための冷蔵室用吐出風路１０と冷蔵スライド室３及び冷蔵室２を冷却した冷気を第１の冷却器８に戻すための冷蔵室用戻り風路１１を有しており、第１の冷却器８の前に設置される。１６は第２の冷却器であり、冷凍室５及び冷凍スライド室６及び野菜室７の奥に設置される。１７は冷凍室用ダクトであり、第２の冷却器１６で冷却された冷気を製氷室４及び冷凍スライド室６及び冷凍室５及び野菜室７へ導く冷凍室用吐出風路１８と製氷室４及び冷凍スライド室６及び冷凍室５及び野菜室７を冷却した冷気を第２の冷却器１６に戻すための冷凍室用戻り風路１９を有しており、第２の冷却器１６の前に設置される。２２は冷却プレートで野菜室背面に設置される。
【００３１】
以上のように構成された冷蔵庫について、以下その動作、作用について説明する。第１の冷却器１７によって冷却される冷気を直接循環させることによって冷蔵スライド室５及び冷蔵室７を冷却し、第２の冷却器１６によって冷却される冷気を直接循環させることによって製氷室４及び冷凍スライド室６及び冷凍室５及び野菜室７を冷却し、第１の冷却器８によって冷気を直接循環させることにより冷蔵スライド室３及び冷蔵室２を冷却するようにしたことにより、夏場、冷蔵スライド室３及び冷蔵室２のドア開閉が増え、冷蔵スライド室３及び冷蔵室２に暖湿気が流入しても製氷室４を冷却する第２の冷却器２０は影響を受けず製氷室４の能力を確保することができる。さらに野菜室７に直接冷気を循環させることにより、他室の温度上昇の影響を受けることなく安定した冷却を確保することができる。さらに野菜室背面の冷却プレートから効率よく野菜室内の冷却が可能となり、野菜室内への冷気の導入を最小限にすることができ保鮮性の確保と野菜室庫内の結露の低減を両立することができる。また、冷却プレート２２に高伝導素材、例えばアルミを用いることによりさらに冷却プレートからの冷却を効率よく行うことができ、野菜室の保鮮性を上げることができる。
【産業上の利用可能性】
【００３２】
以上のように、本発明にかかる冷蔵庫は、第１の冷却器で前記冷蔵スライド室及び前記冷蔵室を冷却し、第２の冷却器で冷蔵スライド室及び冷蔵室以外の前記製氷室及び前記冷凍スライド室及び前記冷凍室及び前記野菜室を冷却するようにし、野菜室に直接冷気を循環させることなく、冷蔵室及び製氷室及び冷凍スライド室及び冷凍室からの熱伝達により間接的に野菜室内を冷却することにより、夏場、冷蔵スライド室及び冷蔵室のドア開閉が増え冷蔵スライド室及び冷蔵室に暖湿気が流入しても製氷室を冷却する第２の冷却器は影響を受けず製氷室の能力を確保することができ、さらに野菜室内に直接冷気を循環させることにより野菜室の安定した冷却と野菜室内の結露量を少なくすることが可能となるので、冷凍機器全般の冷却方法の用途にも適用できる。
【図面の簡単な説明】
【００３３】
【図１】本発明の実施の形態１における冷蔵庫の正面図
【図２】本発明の実施の形態１における冷蔵庫の風路を示す正面図
【図３】本発明の実施の形態２における冷蔵庫の風路を示す正面図
【図４】本発明の実施の形態３における冷蔵庫の風路を示す正面図
【図５】本発明の実施の形態４における冷蔵庫の風路を示す正面図
【図６】本発明の実施の形態５における冷蔵庫の断面図
【図７】従来の冷蔵庫の風路を示す正面図
【符号の説明】
【００３４】
１    冷蔵庫本体
２    冷蔵室
３    冷蔵スライド室
４    製氷室
５    冷凍室
６    冷凍スライド室
７    野菜室
８    第１の冷却器
９    冷蔵室用ダクト
１０  冷蔵室用吐出風路
１１  冷蔵室用戻り風路
１６  第２の冷却器
１７  冷凍室用ダクト
１８  冷凍室用吐出風路
１９  冷凍室用戻り風路
２１  野菜室用ダンパー
２２  冷却プレート
【図１】
2006250467.tif 000003
【図２】
2006250467.tif 000004
【図３】
2006250467.tif 000005
【図４】
2006250467.tif 000006
【図５】
2006250467.tif 000007
【図６】
2006250467.tif 000008
【図７】
2006250467.tif 000009